【手続補正書】
【提出日】平成18年4月25日(2006.4.25)
【手続補正１】
【補正対象書類名】特許請求の範囲
【補正対象項目名】全文
【補正方法】変更
【補正の内容】
【特許請求の範囲】
【請求項１】
透析システムの使い捨てユニットから延びる排出チューブ、少なくとも１つの供給バッグチューブおよび患者流体チューブのための医療チューブオーガナイザであって、該オーガナイザが：
本体；
該本体によって設けられる第１のチッププロテクターであって、該第１のチッププロテクターが、該排出チューブに取り付けられた排出ラインコネクタを取り外し可能に固定し得る開口部を提供する、第１のチッププロテクター；
該本体によって設けられる少なくとも１つの第２のチッププロテクターであって、該第２のチッププロテクターが、該供給バッグチューブに取り付けられた供給バッグコネクタを取り外し可能に固定し得る開口部を提供する、第２のチッププロテクター；および
該本体によって設けられる第３のチッププロテクターであって、該第３のチッププロテクターが、該患者流体チューブに取り付けられた患者流体コネクタを取り外し可能に固定し得る開口部を提供する、第３のチッププロテクター、
を含む、医療チューブオーガナイザ。
【請求項２】
前記チッププロテクターが、腹膜透析療法における一連の工程に従って前記本体に配置される、請求項１に記載のオーガナイザ。
【請求項３】
前記本体が、腹腔透析エンクロージャーに取り付けられる部分を備える、請求項１に記載のオーガナイザ。
【請求項４】
複数の透析療法チューブ接続を行う際に患者を補助するための方法であって、該方法が、以下の工程：
１つの本体中に、透析チューブのそれぞれの端部をパッケージングする工程；および
該患者が所望の順番で該１つの本体からチューブを取り外すように促されるように、透析療法の一連の工程に従って該チューブを配置する工程、
を包含する、方法。
【請求項５】
前記チューブの端部のそれぞれに装着されたコネクタを固定し栓をするように、前記本体を構成する工程を包含する、請求項４に記載の方法。
【請求項６】
透析療法のためのエンクロージャーによって適所に保持されるように、前記本体を構成する工程を包含する、請求項４に記載の方法。
【請求項７】
前記本体が所望の方向のみから前記エンクロージャー内にスライドし得るように、該エンクロージャーおよび該本体を構成する工程を包含する、請求項４に記載の方法。
【請求項８】
前記チューブを前記本体から取り外す際に前記患者を補助するために、前記本体をしっかりと保持するように、前記エンクロージャーを構成する工程を包含する、請求項４に記載の方法。
【請求項９】
ハードウェアユニット；
供給ライン、排出ラインおよび患者ラインに流体結合された使い捨てユニットであって、該使い捨てユニットが、ポンプレセプタクル、ハードウェアユニットおよびポンプチャンバーを形成するレセプタクルを備える、使い捨てユニット；ならびに
該ハードウェアユニットに取り外し可能に取り付けられた本体であって、該本体が、各々が該供給ライン、該排出ラインおよび該患者ラインの内の１つの端部を取り外し可能に受容する複数の開口部を備える、本体、
を備える、透析システム。
【請求項１０】
使い捨て医療流体ユニットのためのマニホルドであって、該ユニットが、少なくとも１つの可撓性膜にシールされており、そして、該マニホルドが、以下：
流体通路の少なくとも一部を規定するプラスチック本体；および
厚み部分を有するプラスチック本体の少なくとも１つの側壁であって、ここで、該厚み部分の少なくとも一部が、減小しており、該減少した厚み部分の少なくとも一部が、少なくとも１つの膜で熱シールされている、側壁、
を備える、マニホルド。
【請求項１１】
前記減少した厚み部分が、前記側壁の頂部エッジおよび底部エッジからテーパーする、請求項１０に記載のマニホルド。
【請求項１２】
前記減少した厚み部分が、前記側壁に沿って断続的であり、それによって、少なくとも１つの流体接続ポートが、該側壁から延びることを可能となる、請求項１０に記載のマニホルド。
【請求項１３】
前記減少した厚み部分が、加熱されると変形するプラスチックの隆起ビードを含む、請求項１０に記載のマニホルド。
【請求項１４】
使い捨ての医療流体ユニットを製造するための方法であって、該方法が、以下の工程：
ある厚さのマニホルドを形成し、該マニホルドの少なくとも一部の厚さを減少させる工程；および
該マニホルドの減少した厚み部分に複数の膜をシールし、該膜の一部を互いにシールする工程、
を包含する、方法。
【請求項１５】
前記膜を前記マニホルドおよび互いにシールする工程が、熱シール工程を包含する、請求項１４に記載の方法。
【請求項１６】
前記厚み部分を減少させる工程が、前記マニホルドの前記厚み部分をテーパーする工程を包含する、請求項１４に記載の方法。
【請求項１７】
複数のチッププロテクターを提供するデバイスであって、各チッププロテクターが、腹膜透析システムの医療チューブに取り付けられたコネクタを受容し、固定し、該デバイスが、以下：
本体；
排出ラインコネクタを受容し固定する該本体によって設けられた第１のチッププロテクター；
供給バッグコネクタを受容し固定する該本体によって設けられた少なくとも１つの第２のチッププロテクター；および
該本体によって設けられた第３のチップコネクタであって、該第３のチッププロテクターを通って空気は流れるが、液体は流れないことを可能とするフィルターを備え、患者流体コネクタを受容し固定する、第３のチップコネクタ、
を含む、デバイス。
【請求項１８】
医療チューブをプライミングする方法であって、該方法が、以下の工程：
該医療チューブを通じて流体をポンプし、該チューブの端部から空気は逃れるが、液体は逃れられないようにする工程；および
空気が該チューブから実質的に抜かれている場合の圧力の増大を感知し、該ポンプを停止させる工程、
を包含する、方法。
【請求項１９】
透析物供給バッグから、使い捨ての透析ユニットを通って、患者流体ラインへと流体をポンプする工程を包含する、請求項１８に記載の方法。
【請求項２０】
フィルターを通して、空気は押し出すが、流体は押し出さない工程を包含する、請求項１８に記載の方法。
【請求項２１】
前記フィルターに対して戻る流体が、圧力の増大を引き起こす、請求項１８に記載の方法。
【請求項２２】
前記フィルターを収容し、前記チューブを固定する取り外し可能なチッププロテクター内の空間を最小化し、プライミングに起因する漏れる流体量を軽減する工程を包含する、請求項１８に記載の方法。
【請求項２３】
自動化医療流体システムであって、該システムが、以下：
医療流体ポンプ；
該ポンプと連絡し、本体の１つの端部と接続された医療チューブであって、該本体が、該チューブの端部から空気は逃れるが、流体は逃れないことを可能にするフィルターを備えている、医療チューブ；および
コントローラーであって、（ｉ）該医療チューブを通って流体をポンプするため、および（ｉｉ）該流体が部材に到達した場合の圧力の増大を感知するため、および（ｉｉｉ）該ポンプ工程を停止させるために、該医療流体ポンプと共に作動する、コントローラー、を含む、システム。
【請求項２４】
透析システムであって、該透析システムが、以下：
ハウジング；および
該ハウジング内に配置されるポンプ、バルブアクチュエーター、およびコントローラーであって、ここで、該ポンプ、バルブアクチュエーター、およびコントローラーを備える該ハウジングが、１０キログラム未満の質量を有する、ポンプ、バルブアクチュエーター、およびコントローラー、
を含む、透析システム。
【請求項２５】
透析ユニットを提供する方法であって、該方法が、以下の工程：
複数のフロー制御構成要素をハウジングに配置する工程；
加熱器を、該フロー制御構成要素に隣接して該ハウジングに配置する工程；および
該ハウジング内に使い捨てユニットを設置するための支持体を配置し、その結果、該使い捨てユニットの加熱部分が、該加熱器の上に着座し、該加熱器と協働して、それにより該使い捨てユニットのフロー制御構成要素が、該フロー制御構成要素の上に着座し、該フロー制御成分と協働するようになる、工程、
を包含する、方法。
【請求項２６】
前記ハウジングの側面上に、前記使い捨てユニットと共に設けられる多数のチューブの自由端を保存する場所を提供する工程を包含する、請求項２５に記載の方法。
【請求項２７】
前記ハウジングの前面にディスプレイデバイスを配置する工程を包含する、請求項２５に記載の方法。
【請求項２８】
フィルムであって、該フィルムが、約９０重量％〜約９９重量％のスチレンと炭化水素のコポリマーを含む第１の成分および約１０％〜約１％の高融点強化ポリプロピレンを含むポリマーブレンドの層を含む、フィルム。
【請求項２９】
前記スチレンと炭化水素のコポリマーが、スチレン−エチレン−ブチレン−スチレンのブロックコポリマーである、請求項２８に記載のフィルム。
【請求項３０】
前記第１の成分が、５〜４０重量％のオイルを含む、請求項２８に記載のフィルム。
【請求項３１】
前記高融点強化ポリプロピレンが、自由末端長鎖分岐を有する、請求項２８に記載のフィルム。
【請求項３２】
前記高融点強化ポリプロピレンが、約１０グラム／１０分よりも大きいメルトフローインデックスを有する、請求項２８に記載のフィルム。
【請求項３３】
前記高融点強化ポリプロピレンが、ポリプロピレンを有機過酸化物と反応させることによって得られる、請求項２８に記載のフィルム。
【請求項３４】
前記高融点強化ポリプロピレンが、ポリプロピレンを有機過酸化物と反応させた後に、該ポリプロピレンを混練することによって得られる、請求項２８に記載のフィルム。
【請求項３５】
ＡＳＴＭ  Ｄ８８２に従って測定した場合に、約１０，０００ｐｓｉ未満の弾性率を有する、請求項２８に記載のフィルム。
【請求項３６】
ＨｏｔＤｉｓｋＴＭ機器を使用して測定した場合に、０．１３Ｗ／メートル−°Ｋよりも大きな熱伝導率を有する、請求項２８に記載のフィルム。
【請求項３７】
前記フィルムが、高速で押出し成形され得る、請求項２８に記載のフィルム。
【請求項３８】
前記フィルムが、単層構造である、請求項２８に記載のフィルム。
【請求項３９】
前記フィルムが、多層構造であり、該層が、該フィルムのシール層を規定する、請求項２８に記載のフィルム。
【請求項４０】
カセットと膜のアセンブリであって、該アセンブリが、以下：
約７０％〜約９５％の第１のポリオレフィンおよび約５％〜約３０％の第１のスチレンと炭化水素のコポリマーを含む、第１のポリマー混合物を含む、カセット；および
第２のスチレンおよび炭化水素のコポリマーを含む約９０重量％〜約９９重量％の第１の成分と約１０％〜約１％の高融点強化ポリプロピレンとの第２のポリマー混合物の層を含む該カセットに取り付けられたフィルム、
を含む、アセンブリ。
【請求項４１】
前記第１のポリオレフィンが、第１のポリプロピレンホモポリマーおよび第１のポリプロピレンコポリマーからなる群から選択される、請求項４０に記載のアセンブリ。
【請求項４２】
前記第１のポリプロピレンコポリマーが、プロピレンと２〜２０の炭素を有するα−オレフィンとのコポリマーである、請求項４０に記載のアセンブリ。
【請求項４３】
前記第１のスチレンと炭化水素とのコポリマーが、ジ−ブロックコポリマー、トリ−ブロックコポリマー、マルチ−ブロックコポリマー、および星状のブロックコポリマーからなる群から選択されるブロックコポリマーである、請求項４０に記載のアセンブリ。
【請求項４４】
前記第１のスチレンと炭化水素とのコポリマーが、第１のスチレン−エチレン−ブチレン−スチレンのブロックコポリマーである、請求項４０に記載のアセンブリ。
【請求項４５】
前記第２のスチレンと炭化水素とのコポリマーが、ジ−ブロックコポリマー、トリ−ブロックコポリマー、マルチ−ブロックコポリマー、および星状のブロックコポリマーからなる群から選択されるブロックコポリマーである、請求項４０に記載のアセンブリ。
【請求項４６】
前記第２のスチレンと炭化水素とのコポリマーが、第２のスチレン−エチレン−ブチレン−スチレンのブロックコポリマーである、請求項４０に記載のアセンブリ。
【請求項４７】
前記フィルムが、５ｐｓｉの圧力によって変形され得る、請求項４０に記載のアセンブリ。
【請求項４８】
前記フィルムが、約５  ｌｂｆ／ｉｎよりも大きな前記カセットからの剥離強度を有する、請求項４０に記載のアセンブリ。
【請求項４９】
前記第１のポリプロピレンが、約１２０℃〜約１４０℃の融点温度を有し、そして前記高融点強化ポリプロピレンが、約１４５℃〜約１６０℃の融点温度を有する、請求項４０に記載のアセンブリ。